【手続補正書】
【提出日】平成21年9月3日(2009.9.3)
【手続補正１】
【補正対象書類名】特許請求の範囲
【補正対象項目名】全文
【補正方法】変更
【補正の内容】
【特許請求の範囲】
【請求項１】
階層型ニューラルネットワーク構造を用いたアナログ電子回路からなる騒音の逆位相音を発生し騒音を除去するアクティブノイズコントロール用の適応フィルタ回路であって、完全差動型の回路を備えることを特徴とする回路。
【請求項２】
階層型ニューラルネットワーク構造を用いたアナログ電子回路からなる騒音の逆位相音を発生し騒音を除去するアクティブノイズコントロール用の適応フィルタ回路であって、
階層型ニューラルネットワーク内における乗算の演算に完全差動型ワイドレンジギルバート乗算器を用いていることを特徴とする回路。
【請求項３】
階層型ニューラルネットワーク構造を用いたアナログ電子回路からなる騒音の逆位相音を発生し騒音を除去するアクティブノイズコントロール用の適応フィルタ回路であって、
階層型ニューラルネットワーク内における積分の演算に完全差動型積分器を用いていることを特徴とする回路。
【請求項４】
第１のマイク、スピーカー、第２のマイクがダクト内に順に配置され、アナログ電子回路からなる適応フィルタ回路により前記ダクト内の騒音を除去するアクティブノイズコントロールシステムに用いられる前記適応フィルタ回路であって、
第１、第２のワイドレンジギルバート乗算器と、積分器とを有し、
前記第１のワイドレンジギルバート乗算器は、前記第１のマイクにより取り込まれる騒音信号と前記積分器から出力される差動荷重信号とを乗算して、前記ダクト内の騒音を打ち消す音を前記スピーカーから出力させるための差動出力信号を前記スピーカーに出力し、
前記第２のワイドレンジギルバート乗算器は、前記スピーカーから出力される音により除去しきれなかった誤差信号を前記第２のマイクから取り込み、その誤差信号と前記第１のマイクにより取り込まれる騒音信号とを乗算して前記積分器に前記乗算された信号を入力し、
前記積分器は、前記第２のワイドレンジギルバート乗算器にて乗算された信号を積分し前記差動荷重信号を前記第１のワイドレンジギルバート乗算器に入力するものであり、
前記第１、第２のワイドレンジギルバート乗算器として、完全差動型ワイドレンジギルバート乗算器を用いていることを特徴とするアクティブノイズコントロールシステムに用いられる適応フィルタ回路。
【請求項５】
第１のマイク、スピーカー、第２のマイクがダクト内に順に配置され、アナログ電子回路からなる適応フィルタ回路により前記ダクト内の騒音を除去するアクティブノイズコントロールシステムに用いられる前記適応フィルタ回路であって、
第１、第２のワイドレンジギルバート乗算器と、積分器とを有し、
前記第１のワイドレンジギルバート乗算器は、前記第１のマイクにより取り込まれる騒音信号と前記積分器から出力される差動荷重信号とを乗算して、前記ダクト内の騒音を打ち消す音を前記スピーカーから出力させるための差動出力信号を前記スピーカーに出力し、
前記第２のワイドレンジギルバート乗算器は、前記スピーカーから出力される音により除去しきれなかった誤差信号を前記第２のマイクから取り込み、その誤差信号と前記第１のマイクにより取り込まれる騒音信号とを乗算して前記積分器に前記乗算された信号を入力し、
前記積分器は、前記第２のワイドレンジギルバート乗算器にて乗算された信号を積分し前記差動荷重信号を前記第１のワイドレンジギルバート乗算器に入力するものであり、
前記積分器として、完全差動型積分器を用いていることを特徴とするアクティブノイズコントロールシステムに用いられる適応フィルタ回路。
【手続補正２】
【補正対象書類名】明細書
【補正対象項目名】全文
【補正方法】変更
【補正の内容】
【発明の詳細な説明】
【発明の名称】アクティブノイズコントロールシステム用アナログ電子回路
【技術分野】
【０００１】
本発明は騒音除去方法の一つであるアクティブノイズコントロールシステム用のアナログ電子回路に関するものである。
【背景技術】
【０００２】
従来、特許文献１、２に開示されているように一次元ダクト騒音に対するアクティブノイズコントロール（またはアクティブノイズキャンセリングとも表記される）システムはデジタル電子回路を用いたデジタル処理により適応フィルタを構成し逆位相音を出力、制御していた。
【０００３】
一方、特許文献３に開示されている技術はアナログ電子回路により適応フィルタを構成し、アクティブノイズコントロールを実現するものであり、デジタル処理に必要なアナログ／デジタル（Ａ／Ｄ）変換、デジタル／アナログ（Ｄ／Ａ）変換を必要としない構成であった。
【０００４】
特許文献３に開示されているように、Ａ／Ｄ変換、Ｄ／Ａ変換を必要としない場合、信号の遅延が起こらないため、デジタル処理の適応フィルタによるアクティブコントロールシステムよりシステムのサイズを小さくできるという利点があった。
【０００５】
また、アナログ電子回路による適応フィルタには高価なデジタルシグナルプロセッサ（ＤＳＰ）も必要ないため、システムのコストを低くできるという利点もあった。
【０００６】
しかし、特許文献３に開示されているアナログ電子回路による適応フィルタは回路内部にノイズやオフセットを発生しやすいワイドレンジギルバート乗算器を含んでおり、回路全体を高精度化するためには高精度なワイドレンジギルバート乗算器を作製する必要があった。
【０００７】
さらに特許文献３に開示されている回路は階層型ニューラルネットワークの構成を持つため出力に現れるノイズもフィードバックされ再びワイドレンジギルバート乗算器により乗算され増幅されるため、ノイズ耐性に乏しく高精度化が困難であった。
【特許文献１】特開２００２−６０１４６号公報
【特許文献２】特開２００１−３５５４２９号公報
【特許文献３】特許願２００６−０３１８４０「アクティブノイズキャンセリング用アナログ電子回路」
【発明の開示】
【発明が解決しようとする課題】
【０００８】
上記の特許文献３に開示されている回路では、高精度なワイドレンジギルバート乗算器を実現するために非常に高精度な電圧源を使用し回路の特性を調整しなければならないという問題があった。
【０００９】
また、高精度な電圧源を使用することでワイドレンジギルバート乗算器の特性を向上させたとしても、回路内部にフィードバックを有しているため一度ノイズが混入されるとそれもフィードバックして増幅してしまうため高精度化が困難であるという問題があった。
【００１０】
本発明は、上記従来の実情を鑑みてなされたものであって、アクティブノイズコントロールシステムに使用する適応フィルタをアナログ電子回路により実現する場合のノイズ、オフセットに対する耐性を高め高精度な動作を実現するための回路構成を提供するものである。
【課題を解決するための手段】
【００１１】
本発明では従来技術の問題点を解決するために、従来のシングルエンド型回路構成の代わりに回路全体において完全差動型の構成を持ったアナログ電子回路による適応フィルタを作製した。以後この回路を完全差動型アナログ電子回路適応フィルタと呼ぶ。
【００１２】
完全差動型アナログ電子回路適応フィルタは階層型ニューラルネットワーク内に必要とされる乗算の演算をする部分に従来のワイドレンジギルバート乗算器（以後これをシングルエンド型ワイドレンジギルバート乗算器と呼ぶ）の代わりに完全差動型ワイドレンジギルバート乗算器を用いることを特徴とする。
【００１３】
完全差動型アナログ電子回路適応フィルタは階層型ニューラルネットワーク内に必要とされる積分の演算をする部分に完全差動型積分器を用いることを特徴とする。
【発明を実施するための最良の形態】
【００１４】
本発明による完全差動型アナログ電子回路適応フィルタによるアクティブノイズコントロールシステムの模式図を図１に示す。  
【００１５】
完全差動型アナログ電子回路適応フィルタ５は完全差動型ワイドレンジギルバート乗算器と完全差動型積分器を用いる事で完全差動型の構成を持つ階層型ニューラルネットワークにより構成される。
【００１６】
騒音は一次元ダクト１を左から右に流れ、マイク２により取り込まれた騒音信号が本発明による完全差動型アナログ電子回路適応フィルタ５に入力される。
【００１７】
このとき、入力の配線は接地線には繋がらず、同位相信号線と逆位相信号線により差動の入力信号Ｖｉｎ＋（同位相入力信号）とＶｉｎ−（逆位相入力信号）として完全差動型アナログ電子回路適応フィルタ５に入力される。以後電圧信号の表記Ｖの最後に下付き＋を付加して表記する場合同位相信号、下付き−を付加して表記する場合逆位相信号を表すとする。
【００１８】
完全差動型アナログ電子回路適応フィルタ５はスピーカー３に信号を伝え、スピーカー３から出力された音によりダクト内の騒音を打ち消す。このときスピーカー３に伝える信号もまた差動の出力信号Ｖｏｕｔ＋とＶｏｕｔ−として出力する。差動出力信号Ｖｏｕｔ＋とＶｏｕｔ−の差分の信号がダクト内騒音の信号と逆位相となり騒音を打ち消すことができる。
【００１９】
スピーカー３から出力された音により消音しきれなかった音はマイク４により信号として取り込まれる。この信号をここでは誤差信号と呼び、マイク４からは差動の誤差信号Ｖｅｒｒ＋とＶｅｒｒ−として完全差動型アナログ電子回路適応フィルタ５にフィードバックされる。
【００２０】
完全差動型アナログ電子回路適応フィルタ５は誤差信号Ｖｅｒｒ＋、Ｖｅｒｒ−と入力信号Ｖｉｎ＋とＶｉｎ−とにより完全差動型アナログ電子回路適応フィルタ５内の演算に用いる値（荷重）を変化させることでフィルタの特性を変化させる。
【００２１】
フィルタの特性は荷重を変化させることで常に誤差信号が小さくなるように調整される。
【００２２】
これにより常に完全差動型アナログ電子回路適応フィルタ５からは騒音と逆位相の音がスピーカー３から出力されるような信号を作製する。
【００２３】
本発明による騒音除去の効果のシミュレーション結果を図６に示す。ここで、仮想的な騒音として１ｋＨｚ以上をカットしたホワイトノイズを用い、図中には入力騒音として示してある。また完全差動型アナログ電子回路適応フィルタによる逆位相信号により騒音除去された波形を騒音除去後として図中に示してある。
【００２４】
入力騒音における１ｋＨｚ以下の帯域のノイズに対し、騒音除去後の信号は５０ｄＢ程度減衰しており騒音除去が達成されていることがわかる。
【００２５】
これにより本発明による完全差動型アナログ電子回路適応フィルタはアクティブノイズコントロールシステム用の回路として機能することが確かめられた。
【００２６】
以下、発明を具体化した実施例を図面を参照しつつ説明する。
【実施例】
【００２７】
本発明による完全差動型アナログ電子回路適応フィルタのブロック図を図２に示す。
【００２８】
本実施例では１階層１ニューロンでの階層型ニューラルネットワークを構成している。
【００２９】
図２中のｄＷＲＭ１、ｄＷＲＭ２は完全差動型ワイドレンジギルバート乗算器を示し、ｄＩＮＴは完全差動型積分器を示している。以下にそれらの回路を説明する。
【００３０】
図３は完全差動型ワイドレンジギルバート乗算器の回路図である。
【００３１】
完全差動型ワイドレンジギルバート乗算器はＶｍｉｎ１＋とＶｍｉｎ１−に入力された差動信号とＶｍｉｎ２＋とＶｍｉｎ２−に入力された差動信号とを乗算し、その結果をＶｍｏｕｔ＋とＶｍｏｕｔ−に差動信号として出力する。
【００３２】
図４に完全差動型ワイドレンジギルバート乗算器の特性を示す。Ｖｍｉｎ１＋とＶｍｉｎ１−の差分とＶｍｉｎ２＋とＶｍｉｎ２−の差分が乗算されＶｍｏｕｔ＋とＶｍｏｕｔ−の差分として現れていることがわかる。
【００３３】
また、図４において｜Ｖｍｉｎ１＋−Ｖｍｉｎ１−｜＞０．２Ｖの領域では線形な乗算ではなく非線形な特性が現れている。本発明では特許文献３と同様に、この非線形性によりニューラルネットワークの演算に必要な非線形演算を達成している。
【００３４】
この完全差動型ワイドレンジギルバート乗算器は差動構成であるためコモンモードノイズを除去できる。そのため特許文献３に示してあるシングルエンド型ワイドレンジギルバート乗算器に比べノイズやオフセットに対して強く、また出力にオフセットが含まれにくい。
【００３５】
図５は完全差動型積分器の回路図である。
【００３６】
完全差動型積分器におけるＶｉｉｎ＋とＶｉｉｎ−の差動入力信号は抵抗９、１０を通りオペアンプ６の＋入力と−入力に入力され、差動オペアンプからの出力をコンデンサ７、８によりフィードバックを行うことで差動型の積分を達成し、Ｖｉｏｕｔ＋とＶｉｏｕｔ−に差動積分信号を出力している。
【００３７】
完全差動型積分器においても差動構成であるためコモンモードノイズを除去できる。
【００３８】
図２ではこれら完全差動型ワイドレンジギルバート乗算器と完全差動型積分器により完全差動型アナログ電子回路適応フィルタを構成している。以下では全体の動作を具体的に説明する。
【００３９】
図１中のマイク２から入力される入力信号Ｖｉｎ＋とＶｉｎ−は図２におけるｄＷＲＭ１に入力され、またｄＩＮＴからの出力による差動荷重信号ＶＷ＋とＶＷ−もｄＷＲＭ１に入力され、それらが乗算される。
【００４０】
ｄＷＲＭ１からの出力は差動出力信号Ｖｏｕｔ＋とＶｏｕｔ−として図１中のスピーカー３に伝えられる。
【００４１】
差動出力信号Ｖｏｕｔ＋とＶｏｕｔ−により図１中のスピーカー３から出力される音により除去しきれなかった誤差信号は図１中のマイク４から差動誤差信号Ｖｅｒｒ＋とＶｅｒｒ−としてｄＷＲＭ２に入力される。
【００４２】
ｄＷＲＭ２には差動入力信号Ｖｉｎ＋とＶｉｎ−も入力され差動誤差信号Ｖｅｒｒ＋とＶｅｒｒ−と乗算される。
【００４３】
ｄＷＲＭ２により乗算された信号はそのままｄＩＮＴに入力され積分され差動荷重信号ＶＷ＋とＶＷ−が生成される。
【００４４】
差動荷重信号Ｖｗ＋とＶｗ−は上記したようにｄＷＲＭ１に入力されフィードバックが行われる。
【００４５】
ｄＷＲＭ１はフィードバックされた差動荷重信号と差動入力信号を乗算することで新たな差動出力信号を出力する。
【００４６】
これら一連の動作を休みなく行うことで本発明による完全差動型アナログ電子回路適応フィルタはアクティブノイズコントロールの機能を達成することができる。
【００４７】
また、完全差動型アナログ電子回路適応フィルタは回路全体で差動構成をとるためコモンモードノイズを除去できる。
【００４８】
図６はこのような回路構成を用いて作製した完全差動型アナログ電子回路適応フィルタのシミュレーション結果である。このシミュレーションでは誤差信号を出力信号と入力信号との減算回路を用いた差分により作り出している。
【図面の簡単な説明】
【００４９】
【図１】完全差動型アナログ電子回路適応フィルタによるアクティブノイズコントロールシステムの模式図
【図２】完全差動型アナログ電子回路適応フィルタのブロック図
【図３】本発明で用いられている完全差動型ワイドレンジギルバート乗算器
【図４】完全差動型ワイドレンジギルバート乗算器の入出力特性
【図５】本発明で用いられている完全差動型積分器
【図６】完全差動型アナログ電子回路適応フィルタのシミュレーション結果
【符号の説明】
【００５０】
１…一次元ダクト
２、４…マイク
３…スピーカー
５…完全差動型アナログ電子回路適応フィルタ
６…オペアンプ
７、８…コンデンサ
９、１０…抵抗
Ｍ1、Ｍ２、Ｍ３、Ｍ４、Ｍ５、Ｍ６、Ｍ７、Ｍ８…ｐＭＯＳトランジスタ
Ｍ９、Ｍ１０、Ｍ１１、Ｍ１２、Ｍ１３…ｎＭＯＳトランジスタ